(57)【要約】【課題】大型土のうの製作コストの低減と、大型土のうの転動防止効果を改善しつつ、大型土のうの安定姿勢を長期間に亘って持続できる、水工用大型土のうを提供すること。【解決手段】透水性を有する外袋２０と、透水性を有する内包シート３０と、外袋２０及び内包シート２０の重合する一部を結束して一体化する複数の結束手段５０と、内包シート３０に収容され、透水性を有する中詰材４０とを具備し、中詰材４０が包み込まれた内包シート３０を介して外袋２０が中詰材４０を抱持して拘束する。【選択図】図１
2017227056.tif 000002
【特許請求の範囲】
【請求項１】
内部に中詰材を充填して封入する水工用大型土のうであって、
透水性を有する素材からなり、巾着袋状を呈する外袋と、
前記外袋に収容され、透水性を有する内包シートと、
外袋及び内包シートの重合する一部を予め結束して転動不能に一体化する複数の結束手段と、
前記内包シートに収容され、透水性を有する中詰材とを具備し、
前記中詰材が包み込まれた内包シートを介して外袋が中詰材を抱持して拘束することを特徴とする、
水工用大型土のう。
【請求項２】
前記内包シートが中詰材の全体を露出させずに被覆可能なシートであり、外袋の展開時の平面積より大きな平面積を有することを特徴とする、請求項１に記載の水工用大型土のう。
【請求項３】
前記外袋が開口部の網目にそれぞれ挿通した口縛りロープと無端状の吊りロープとを具備し、外袋の開口部の中心に対して前記口縛りロープが吊りロープの内側に位置することを特徴とする、請求項１に記載の水工用大型土のう。
【請求項４】
前記外袋と内包シートが透水性および伸縮性を併有する素材からなり、内包シートの伸び率が外袋の伸び率より大きいことを特徴とする、請求項１又は３に記載の水工用大型土のう。
【請求項５】
前記複数の結束手段が重合する外袋の胴部と内包シートとの間を結束していることを特徴とする、請求項１に記載の水工用大型土のう。
【請求項６】
前記複数の結束手段が面ファスナー、Ｃリンク、カラビナ、結束バンド、結束ロープ、結束ベルトの何れかひとつであることを特徴とする、請求項１又は５に記載の水工用大型土のう。
【発明の詳細な説明】
【技術分野】
【０００１】
本発明は河川や海岸の洗掘防止、浸食防止、護岸又は防波堤等に使用可能な水工用大型土のうに関する。
【背景技術】
【０００２】
特許文献１等に開示されているように、巾着状の袋体に中詰材を直接充填した洗掘防止用の大型土のうが広く知られている。
特許文献２には、中詰土砂を充填した内袋と、内袋を収容する巾着状の外袋とを組み合せて袋体を二重にした大型土のうが開示されている。
内袋は中詰土砂の流出を規制できる不織布製の袋体であり、中詰土砂を充填した後に開口部を口縛りロープ等で閉じている。
外袋は目の粗い編地素材で形成した袋体であり、内部に内袋を収容した後に外袋の開口部に口縛りロープを複数回巻き付けて閉じることで大型土のうを製作している。
特許文献２に記載の大型土のうは、内袋と外袋が夫々分離独立した構造となっている。
大型土のうの不陸追従性を確保するために、大型土のうを吊り上げたときに土のうの上方に高さの２５％〜８０％の未充填空間を形成するように、中詰土砂を充満させないように充填している。
【先行技術文献】
【特許文献】
【０００３】
【特許文献１】実開平１−１４１８１５号公報
【特許文献２】特開２０００−１８２８号公報
【発明の概要】
【発明が解決しようとする課題】
【０００４】
特許文献２に開示された大型土のうには次のような問題点がある。
＜１＞内袋と外袋が構造的に分離独立していると共に、中詰土砂が緩い状態で袋詰めされている。
そのため、激流河川の根固め工等に用いると、内袋内の中詰土砂の土粒子が下流側へ移動することに伴い中詰土砂が球状に変形し、球状に変形した内袋が外袋の内部で転動する。
内袋が転動すると外袋もこれに追従するため、大型土のうが下流側へ向けて回転移動を生じ易い。
＜２＞複数の大型土のうを水流方向に沿って縦列に敷設した場合、上流側の大型土のうが転動して下流側の大型土のうを乗り越える「乗り越え現象」が生じる。この際、上流側の大型土のうが下流側の大型土のうを巻き込んで転動する。
＜３＞中詰土砂を用いるために土粒子が透過しないように内袋の透水率が低く設定してあり、さらに中詰土砂自体の空隙率が低いために、大型土のう全体の透水性が低いものとなる。
そのため、大型土のうによる洗掘、浸食防止効果を十二分に発揮できていない。
【０００５】
本発明は以上の点に鑑みて成されたもので、その目的とするところは少なくともつぎのひとつの水工用大型土のうを提供することにある。
＜１＞大型土のうの構成を簡略化して大型土のうの製作コストを削減すること。
＜２＞大型土のうの転動防止効果を改善しつつ、大型土のうの安定姿勢を長期間に亘って持続できること。
＜３＞従来の難透水性構造の大型土のうと比べて洗掘防止及び浸食防止効果を改善できること。
【課題を解決するための手段】
【０００６】
本発明は、内部に中詰材を充填して封入する水工用大型土のうであって、透水性を有する素材からなり、巾着袋状を呈する外袋と、前記外袋に収容され、透水性を有する内包シートと、外袋及び内包シートの重合する一部を予め結束して転動不能に一体化する複数の結束手段と、前記内包シートに収容させ、透水性を有する中詰材とを具備し、前記中詰材が包み込まれた内包シートを介して外袋が中詰材を抱持して拘束することを特徴とする。
本発明の他の形態において、前記内包シートが中詰材の全体を露出させずに被覆可能なシートであり、外袋の展開時の平面積より大きな平面積を有する。
本発明の他の形態において、前記外袋が開口部の網目にそれぞれ挿通した口縛りロープと無端状の吊りロープとを具備し、外袋の開口部の中心に対して前記口縛りロープが吊りロープの内側に位置する。
本発明の他の形態において、前記外袋と内包シートが透水性および伸縮性を併有する素材からなり、内包シートの伸び率が外袋の伸び率より大きい関係にある。
本発明の他の形態において、前記複数の結束手段が重合する外袋の胴部と内包シートとの間を結束している。
本発明の他の形態において、前記複数の結束手段が面ファスナー、Ｃリンク、カラビナ、結束バンド、結束ロープ、結束ベルトの何れかひとつを採用できる。
【発明の効果】
【０００７】
本発明は次の効果の少なくともひとつを得ることができる。
＜１＞中詰材を内包シートに包み込むようにしたので、口縛りロープを有する巾着状の内袋が不要となる。
そのため、水工用大型土のうの製作が容易であると共に、製作コストを削減できる。
＜２＞複数の結束手段を介して内包シートと外袋体とを転動不能に一体化してあるので、水工用大型土のうの転動防止効果が格段に向上するだけでなく、土のうの乗り越え現象を抑制して水工用大型土のうの安定姿勢を長期間に亘って持続できる。
＜３＞水工用大型土のうを構成する外袋、内包シート及び中詰材が良好な透水性を有しているので、水工用大型土のう全体の透水性が高くなる。
そのため、従来の難透水性構造の大型土のうと比べて洗掘防止及び浸食防止効果が格段に向上する。
【図面の簡単な説明】
【０００８】
【図１】一部を省略した水工用大型土のうの斜視図
【図２】型枠を用いて製作する水工用大型土のうの構成部材の説明図
【図３】外袋の開口部の部分拡大図
【図４】水工用大型土のうの製作方法の説明図であって、（ａ）は型枠内に外袋をセットする工程の説明図、（ｂ）は外袋内に収容した内包シートの結束工程と、内包シート内に中詰材を投入する工程の説明図、（ｃ）は中詰材を内包シートで封止する工程の説明図、（ｄ）は完成した水工用大型土のうの脱型工程の説明図
【図５】外袋の開口部の閉鎖工程を説明するための外袋の開口部の平面図
【図６】特性を説明するための水工用大型土のうのモデル図
【発明を実施するための形態】
【０００９】
以下に図面を参照しながら本発明について説明する。
【００１０】
＜１＞水工用大型土のう（図１）
水工用大型土のう１０は、透水性を有する素材からなり、巾着袋状を呈する外袋２０と、外袋２０に収容され、透水性を有する素材からなる単数又は複数の内包シート３０と、外袋２０及び内包シート３０の重合部を結束して一体化する複数の結束手段５０と、内包シート３０に収容して抱持させる空隙率の高い中詰材４０とを具備する。
内包シート２０は中詰材４０を単独で拘束するものではなく、外袋３０が内包シート２０を介して中詰材４０を抱持して拘束する構造となっている。
【００１１】
＜２＞外袋
外袋２０は透水性と伸縮性を有する編地素材を用いて製作した巾着袋状の有底袋体であり、その開口部に沿って網目に挿通して無端の口縛りロープ２１と吊りロープ２２が取り付けてある。
外袋２０は内包シート２０を介して中詰材４０を拘束する袋体である。
外袋２０の容積は使途に応じて適宜選択するが、実用上は１ｍ３〜５ｍ３の範囲が好適である。
【００１２】
＜２．１＞外袋の素材例
外袋２０の編地素材としては、例えば網糸を一重又は二重以上に編成した無結節編地（無結節網、ラッセル網）を使用でき、格子状の網目を有する。
また、編地を編成する編糸としては、例えばポリエステル繊維糸、ポリアミド繊維糸、ポリアクリル繊維糸等の合繊繊維糸、又は綿糸、麻糸等の天然繊維糸等を単独又は混繊して使用できる。
実用上はポリエチレン（４００ｄ／９０本、強度１４０ｋｇｆ／２脚）等の合成繊維糸を二重に編成したラッセル網を使用できる。
外袋２０の網目は中詰材４０を漏出しない寸法に設定してあり、実用上は３７．５ｍｍ×３７．５ｍｍに形成してある。
【００１３】
＜２．２＞ロープ類
図３を参照して説明すると、外袋２０は開口部の網目にそれぞれ挿通した口縛りロープ２１と無端状の吊りロープ２２とを具備する。
口縛りロープ２１は外袋２０の開口部の端部の網目に挿通して、その両端を結んで無端状となっている。
吊りロープ２２は、外袋２０の開口部に対して口縛りロープ２１の下方位置の網目に挿通して、その両端を結んで無端状となっている。
口縛りロープ２１は外袋２０の開口部の中心に対して吊りロープ２２の内方側(開口端部側)に位置する。
口縛りロープ２１を吊りロープ２２の内方側に位置させたのは、吊りロープ２２の影響を受けずに外袋２０の開口部を閉鎖するためと、開口部の封鎖箇所が出っ張りとなることを回避するためである。
吊りロープ２２は吊り上げ時に開口部の複数箇所をループ状に引き出して使用する。
【００１４】
＜３＞内包シート
内包シート３０は透水性と伸縮性を有する編地素材からなる布状物又はシート状物である。
本例では一枚の内包シート３０を使用する形態を示すが、帯状を呈する内包シート３０の中央を交差させて複数の内包シート３０を重合させて使用することも可能である。
【００１５】
＜３．１＞内包シートのサイズと形状
内包シート３０は中詰材４０の全体を露出させずに包み込みが可能なシートであり、外袋２０の展開時の平面積より大きな平面積を有していればよい。
内包シート３０の平面形状は特に制限はなく、例えば正方形等の多角形や星形、円形、楕円形等であってもよい。
【００１６】
＜３．２＞内包シートの素材例
内包シート３０は例えば、編地、織物、不織布、樹脂成形素材等を使用できる。
編地素材を使用する場合、ナイロン（１２６０ｄ／９０本、強度４５ｋｇｆ／２脚）合成繊維糸で一重又は二重以上に編成した無結節編地（無結節網、ラッセル網）が実用的である。
内包シート３０の網目は中詰材４０を漏出しない寸法に設定してある。実用的には中詰材４０に４０ｍｍの骨材を用いた場合、内包シート３０の網目は例えば３７．５ｍｍ×３７．５ｍｍに形成してある。
内包シート３０を袋加工せずにそのまま使用するのは、面倒な縫製による袋加工をなくしてコストを削減するためと、中詰材４０の投入作業と封入作業を容易に行うためである。
【００１７】
＜３．３＞外袋と内包シートの伸び率の関係
前記した外袋２０と内包シート３０はラッセル編地で形成することから適度の伸縮性を有する。
内包シート３０の伸び率を外袋２０の伸び率より大きい関係にしておくと、外袋２０に対する内包シート３０の変形追従性が高くなる。
【００１８】
＜４＞中詰材
中詰材４０は土砂と比べて空隙率の大きな硬質粒塊体が使用可能であり、例えば砂利、砕石、玉石等の自然骨材、コンクリートガラ、各種廃棄物の焼成体等の使途に応じて適宜選択する。
【００１９】
＜５＞結束手段
外袋２０と内包シート３０は複数の結束手段５０を介して一体に連結してある。
外袋２０と内包シート３０を一体化したのは、外袋２０内で中詰材４０と共に内包シート３０が転動するのを拘束するためである。
ここで「一体化」とは、外袋２０と内包シート３０とを面接触させて固定することを指すのではなく、重合させた外袋２０と内包シート３０の複数箇所をルーズな状態（外袋２０と内包シート３０の自由な変位を許容する状態）で部分的に固定することを意味する。
結束手段５０をルーズに結束するのは、結束手段５０に過大な応力を作用させないためである。
【００２０】
＜５．１＞結束手段の設置位置
本例では水工用大型土のう１０の胴部中央の水平位置に間隔を隔てて複数の結束手段５０を設置した形態を示すが、水工用大型土のう１０の胴部に多段的に設置してもよい。
水工用大型土のう１０を吊り上げたときに、結束手段５０に過大な応力が作用しない位置に設置することが肝要である。
【００２１】
＜５．２＞結束手段の例
結束手段５０としては、例えば面ファスナー、Ｃリンク、カラビナ、結束バンド（インシュロック）、結束ロープ、結束ベルト等の公知の結束資材を用いることができる。
外袋２０と内包シート３０が共に編地素材からなるため、重合させた編地素材の網目に結束手段５０を挿通して巻き掛けるだけの簡単な作業で結束できる。
【００２２】
［水工用大型土のうの製作方法］
つぎに図４を参照しながら型枠６０を用いた水工用大型土のう１０の製作方法について説明する。
【００２３】
＜１＞外袋と内包シートの組立
以下の要領で外袋２０と内包シート３０を一体に組み立てる。
【００２４】
＜１．１＞外袋のセット（図４（ａ））
上下を開放し、逆円錐台形（すり鉢形）を呈する型枠６０を準備する。
型枠６０の内部に外袋２０を収容する。大きく口開きした外袋２０の開口部近くを外方へ折り返して型枠６０の上口へ被せる。
【００２５】
＜１．２＞内包シートのセット（図４（ｂ））
つぎに外袋２０内へ挿入した内包シート３０を型枠６０の内面形状に沿うように展開して上口を開放したすり鉢形状に形成する。
内包シート３０を型枠６０の形状に合わせて展開する際、内包シート３０の一部を重合する等して湾曲させる。
内包シート３０の湾曲部は、連結ピン、ロープや紐、接着剤等を用いて暫定的に固定してもよい。
すり鉢形状に形成した内包シート３０の各隅部は型枠６０の外方へ花びら状に飛び出ていて、型枠６０から飛び出した内包シート３０の部位が残余シート部３１として形成される。
【００２６】
＜１．３＞結束手段の取り付け（図４（ｂ））
つぎに外袋２０と内包シート３０の間に複数の締結手段５０を取り付けて外袋２０と内包シート３０とを一体化する。
尚、本例では型枠６０内で外袋２０と内包シート３０の組み立てを行う場合について説明したが、外袋２０と内包シート３０とを予め一体に組み立てたものを型枠６０内にセットすることも可能である。
【００２７】
＜２＞中詰材の封入
以下の要領で内包シート３０内に所定量の中詰材４０を投入して封入する。
【００２８】
＜２．１＞中詰材の投入（図４（ｂ））
花弁状に外方へ向けて広がった内包シート３０の上口を通じて中詰材４０を投入する。
内包シート３０の開口部にはロープ類が設けられていないので、内包シート３０の上口の開口作業を簡単に行える。
さらに複数の結束手段５０が内包シート３０を外袋２０に一体化しているので、中詰材４０の投入時における内包シート３０の引き込みを効果的に防止できる。
【００２９】
＜２．２＞内包シートによる被覆封止（図４（ｃ））
中詰材４０の投入後、複数の残余シート部３１を内方へ折り畳んで中詰材４０を被覆することで、短時間のうちに中詰材４０を投入して封止できる。
複数の残余シート部３１は中詰材４０の全体を被覆可能な寸法になっているので、複数の残余シート部３１を互いに重ね合せるだけの簡単な作業で中詰材４０を封止できる。
内包シート３０は袋体の形態ではなくシートの形態であるため、中詰材４０の全体を隙間なく被覆することが可能である。
尚、残余シート部３１は固定せずに被覆状態のままとしてもよいし、各残余シート部３１の寸法が大きい場合は残余シート部３１の端部を互いに真結びしてもよい。
【００３０】
＜３＞外袋の口縛り（図５）
口縛りロープ２１による外袋２０の開口部の閉鎖方法は公知である。
すなわち、吊りロープ２２の複数箇所を引き出したループ部にクレーン等のフックを吊り掛け、外袋２０の底部が地面から少し浮上る程度まで吊り上げて外袋２０の編地の弛みをなくす。
吊りロープ２２に張力を与えた状態で、吊りロープ２２の上方に位置する口縛りロープ２１を締め付けて外袋２０の開口部を閉じる。
フックの吊り上げにより外袋２０の開口部が吊りロープ２２によって絞り込まれて縮小されるので、その上方近くの弛んだ口縛りロープ２１の二箇所を引き出して絞り込み、引き出した口縛りロープ２１の余長部同士を結縛して水工用大型土のう１０の製作を完了する。
【００３１】
＜４＞脱型（図４（ｄ））
型枠６０から水工用大型土のう１０を脱型する。
脱型方法としては、例えば本例のように型枠６０が逆円錐台形を呈する場合は、水工用大型土のう１０をそのまま吊り上げることで脱型し、型枠６０が分解可能な構造であれば、型枠６０を分解することで脱型できる。
このようにして製作した水工用大型土のう１０は河川や海岸等に敷設する。
水工用大型土のう１０では中詰材４０を覆う内包シート２０が中詰材４０を直接拘束するのではなく、外袋３０が内包シート２０を通じて中詰材４０を拘束する構造となる。
また水工用大型土のう１０では外袋２０を満たすように中詰材４０が封入されているため、外袋２０を吊り上げたときに外袋２０の上部に大きな未充填空間が形成されない。
そのため、水工用大型土のう１０を敷設した場合、従来の大型土のうと比べて大型土のうの扁平度合が小さくなる。
また内包シート２０を抱持した外袋２０が残余シート部３１の捲れを防止するので、水工用大型土のう１０の使用中に中詰材４０が露出することはない。
【００３２】
［水工用大型土のうの特性］
つぎに図６を参照しながら水工用大型土のう１０の主な特性について説明する。
【００３３】
＜１＞洗掘防止及び浸食防止
中詰材に土砂を用いた従来の大型土のうは、袋体の透水率が低く設定してあるために大型土のう全体が良好な透水性を得難いものとなり、洗掘防止及び浸食防止効果を十分に発揮することができなかった。
これに対して本発明の水工用大型土のう１０では、外袋２０及び内包シート３０が透水性を有する編地素材からなり、中詰材４０も空隙率の大きな硬質粒塊体で構成されている。
そのため、水工用大型土のう１０の透水性が高くなって、従来の難透水性構造の大型土のうと比べて洗掘防止及び浸食防止効果が格段に向上する。
【００３４】
＜２＞転動防止
水工用大型土のう１０では外袋３０の拘束力が内包シート２０を通じて中詰材４０に伝達し得るように、外袋３０内に中詰材４０が充満状態で詰め込まれている。
さらに中詰材４０を覆う内包シート２０が複数の結束手段５０を介して外袋３０に一体化されている。
そのため、内包シート２０内における中詰材４０の移動が阻止されると共に、外袋３０内における内包シート２０の転動も規制されている。
そのため、水工用大型土のう１０の移動限界流速（約５．０ｍ／ｓ）が従来の大型土のうの移動限界流速（約４．５ｍ／ｓ）と比べて高くなることが実証実験により確認されている。
殊に、水流方向に沿って複数の水工用大型土のう１０を縦列に敷設した場合、下流側の水工用大型土のう１０による乗り越え防止効果が従来と比べて高くなることも実証実験により確認されている。
【００３５】
＜３＞外袋と内包シートの一体挙動性
内包シート３０は外袋２０の内面全域と接触しているたけでなく、その複数箇所が結束手段５０を介して一体化されていて、内包シート３０及び外袋２０が一体に挙動する。
そのため、例えば中詰材４０に変位力が生じたときは、内包シート３０及び外袋２０が一体に挙動するため、内包シート３０又は外袋２０の一部に過大なテンションがかからず、内包シート３０及び外袋２０が破れ難い。
【００３６】
＜４＞不陸性
内包シート３０の伸び率が外袋２０の伸び率より大きく設定しておくと、外袋２０に対する内包シート３０の変形追従性がよくなる。
そのため、敷設面の凹凸に対する水工用大型土のう１０の追従性が良くなる。
【符号の説明】
【００３７】
１０・・・・・水工用大型土のう
２０・・・・・外袋
２１・・・・・口縛りロープ
２２・・・・・吊りロープ
３０・・・・・内包シート
３１・・・・・残余シート部
４０・・・・・中詰材
５０・・・・・結束手段
６０・・・・・型枠
【図１】
2017227056.tif 000003
【図２】
2017227056.tif 000004
【図３】
2017227056.tif 000005
【図４】
2017227056.tif 000006
【図５】
2017227056.tif 000007
【図６】
2017227056.tif 000008
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
内部に中詰材を充填して封入する水工用大型土のうであって、
透水性を有する素材からなり、巾着袋状を呈する外袋と、
前記外袋に収容され、透水性を有する内包シートと、
外袋及び内包シートの重合する一部を予め結束して転動不能に一体化する複数の結束手段と、
前記内包シートに収容され、透水性を有する中詰材とを具備し、
前記中詰材の全体がシートの形態で包み込まれた内包シートを介して外袋が中詰材を抱持して拘束することを特徴とする、
水工用大型土のう。
【請求項２】
前記内包シートが中詰材の全体を露出させずに被覆可能なシートであり、外袋の展開時の平面積より大きな平面積を有することを特徴とする、請求項１に記載の水工用大型土のう。
【請求項３】
前記外袋が開口部の網目にそれぞれ挿通した口縛りロープと無端状の吊りロープとを具備し、外袋の開口部の中心に対して前記口縛りロープが吊りロープの内側に位置することを特徴とする、請求項１に記載の水工用大型土のう。
【請求項４】
前記外袋と内包シートが透水性および伸縮性を併有する素材からなり、内包シートの伸び率が外袋の伸び率より大きいことを特徴とする、請求項１又は３に記載の水工用大型土のう。
【請求項５】
前記複数の結束手段が重合する外袋の胴部と内包シートとの間を結束していることを特徴とする、請求項１に記載の水工用大型土のう。
【請求項６】
前記複数の結束手段が面ファスナー、Ｃリンク、カラビナ、結束バンド、結束ロープ、結束ベルトの何れかひとつであることを特徴とする、請求項１又は５に記載の水工用大型土のう。
【手続補正２】
【補正対象書類名】明細書
【補正対象項目名】０００６
【補正方法】変更
【補正の内容】
【０００６】
本発明は、内部に中詰材を充填して封入する水工用大型土のうであって、透水性を有する素材からなり、巾着袋状を呈する外袋と、前記外袋に収容され、透水性を有する内包シートと、外袋及び内包シートの重合する一部を予め結束して転動不能に一体化する複数の結束手段と、前記内包シートに収容させ、透水性を有する中詰材とを具備し、前記中詰材の全体がシートの形態で包み込まれた内包シートを介して外袋が中詰材を抱持して拘束することを特徴とする。
本発明の他の形態において、前記内包シートが中詰材の全体を露出させずに被覆可能なシートであり、外袋の展開時の平面積より大きな平面積を有する。
本発明の他の形態において、前記外袋が開口部の網目にそれぞれ挿通した口縛りロープと無端状の吊りロープとを具備し、外袋の開口部の中心に対して前記口縛りロープが吊りロープの内側に位置する。
本発明の他の形態において、前記外袋と内包シートが透水性および伸縮性を併有する素材からなり、内包シートの伸び率が外袋の伸び率より大きい関係にある。
本発明の他の形態において、前記複数の結束手段が重合する外袋の胴部と内包シートとの間を結束している。
本発明の他の形態において、前記複数の結束手段が面ファスナー、Ｃリンク、カラビナ、結束バンド、結束ロープ、結束ベルトの何れかひとつを採用できる。